(57)【特許請求の範囲】
【請求項１】
他ユーザの干渉レプリカを生成して受信信号から差し引くことによって他ユーザの干渉を除去する干渉キャンセラ装置において、
受信信号の誤り訂正復号後の信号を硬判定する硬判定手段と、
硬判定後の信号に対して誤り検出を行う誤り検出手段と、
誤り検出結果として硬判定後の信号に誤りがある場合、レプリカを小さくするための重み付け係数を用いてレプリカを生成するレプリカ生成手段と、
を具備することを特徴とする干渉キャンセラ装置。
【請求項２】
他ユーザの干渉レプリカを生成して受信信号から差し引くことによって他ユーザの干渉を除去する干渉キャンセラ装置において、
受信信号の誤り訂正復号後の信号を硬判定する第１硬判定手段と、
受信信号の誤り訂正復号前の信号を硬判定する第２硬判定手段と、
第１硬判定後の信号に対して誤り検出を行う誤り検出手段と、
誤り検出結果として第１硬判定後の信号に誤りがある場合、第２硬判定後の信号を用いてレプリカを生成するレプリカ生成手段と、
を具備することを特徴とする干渉キャンセラ装置。
【請求項３】
前記レプリカ生成手段は、
誤り検出結果として第１硬判定後の信号に誤りがない場合、当該第１硬判定後の信号を誤り訂正符号化して得られる信号を用いてレプリカを生成する、
ことを特徴とする請求項２記載の干渉キャンセラ装置。
【請求項４】
他ユーザの干渉レプリカを生成して受信信号から差し引くことによって他ユーザの干渉を除去する干渉キャンセラ装置において、
受信信号の誤り訂正復号後の信号を硬判定する硬判定手段と、
受信信号の誤り訂正復号前の信号を軟判定する軟判定手段と、
硬判定後の信号に対して誤り検出を行う誤り検出手段と、
誤り検出結果として硬判定後の信号に誤りがある場合、軟判定後の信号を用いてレプリカを生成するレプリカ生成手段と、
を具備することを特徴とする干渉キャンセラ装置。
【請求項５】
前記レプリカ生成手段は、
誤り検出結果として硬判定後の信号に誤りがない場合、当該硬判定後の信号を誤り訂正符号化して得られる信号を用いてレプリカを生成する、
ことを特徴とする請求項４記載の干渉キャンセラ装置。
【請求項６】
他ユーザの干渉レプリカを生成して受信信号から差し引くステージを複数備えた干渉キャンセラ装置において、
受信信号の誤り訂正復号後の信号を硬判定する第１硬判定手段と、
受信信号の誤り訂正復号前の信号を硬判定する第２硬判定手段と、
第１硬判定後の信号に対して誤り検出を行う誤り検出手段と、
自ステージの誤り検出結果および前ステージの誤り検出結果に基づいて、自ステージにおける第１硬判定後の信号を誤り訂正符号化して得られる信号、前ステージにおける第１硬判定後の信号を誤り訂正符号化して得られる信号、および自ステージにおける第２硬判定後の信号の中からレプリカ生成用の最適な信号を選択する選択手段と、
選択された信号を用いてレプリカを生成するレプリカ生成手段と、
を有する干渉キャンセラユニットを、最終ステージを除く少なくとも一つのステージに具備することを特徴とする干渉キャンセラ装置。
【請求項７】
前記選択手段は、
前ステージの誤り検出結果として前ステージにおける第１硬判定後の信号に誤りがない場合、当該前ステージにおける第１硬判定後の信号を誤り訂正符号化して得られる信号を選択する、
ことを特徴とする請求項６記載の干渉キャンセラ装置。
【請求項８】
前記選択手段は、
前ステージの誤り検出結果として前ステージにおける第１硬判定後の信号に誤りがあり、かつ、自ステージの誤り検出結果として自ステージにおける第１硬判定後の信号に誤りがない場合、当該自ステージにおける第１硬判定後の信号を誤り訂正符号化して得られる信号を選択する、
ことを特徴とする請求項６記載の干渉キャンセラ装置。
【請求項９】
前記選択手段は、
前ステージの誤り検出結果として前ステージにおける第１硬判定後の信号に誤りがあり、かつ、自ステージの誤り検出結果として自ステージにおける第１硬判定後の信号に誤りがある場合、自ステージおける第２硬判定後の信号を選択する、
ことを特徴とする請求項６記載の干渉キャンセラ装置。
【請求項１０】
受信信号の誤り訂正復号後の信号を硬判定する前記第１硬判定手段と、
前ステージの誤り検出結果に基づいて、自ステージにおける第１硬判定後の信号および前ステージにおける第１硬判定後の信号の中から出力用の信号を選択する第２選択手段と、
選択された信号を出力する出力手段と、
を有する第２干渉キャンセラユニットを最終ステージに具備することを特徴とする請求項６記載の干渉キャンセラ装置。
【請求項１１】
前記第２選択手段は、
前ステージの誤り検出結果として前ステージにおける第１硬判定後の信号に誤りがない場合、当該前ステージにおける第１硬判定後の信号を選択する、
ことを特徴とする請求項１０記載の干渉キャンセラ装置。
【請求項１２】
前記第２選択手段は、
前ステージの誤り検出結果として前ステージにおける第１硬判定後の信号に誤りがある場合、自ステージにおける第１硬判定後の信号を選択する、
ことを特徴とする請求項１０記載の干渉キャンセラ装置。
【請求項１３】
他ユーザの干渉レプリカを生成して受信信号から差し引くステージを複数備えた干渉キャンセラ装置において、
受信信号の誤り訂正復号後の信号を硬判定する硬判定手段と、
受信信号の誤り訂正復号前の信号を軟判定する軟判定手段と、
硬判定後の信号に対して誤り検出を行う誤り検出手段と、
自ステージの誤り検出結果および前ステージの誤り検出結果に基づいて、自ステージにおける硬判定後の信号を誤り訂正符号化して得られる信号、前ステージにおける硬判定後の信号を誤り訂正符号化して得られる信号、および自ステージにおける軟判定後の信号の中からレプリカ生成用の最適な信号を選択する選択手段と、
選択された信号を用いてレプリカを生成するレプリカ生成手段と、
を有する干渉キャンセラユニットを、最終ステージを除く少なくとも一つのステージに具備することを特徴とする干渉キャンセラ装置。
【請求項１４】
前記選択手段は、
前ステージの誤り検出結果として前ステージにおける硬判定後の信号に誤りがない場合、当該前ステージにおける硬判定後の信号を誤り訂正符号化して得られる信号を選択する、
ことを特徴とする請求項１３記載の干渉キャンセラ装置。
【請求項１５】
前記選択手段は、
前ステージの誤り検出結果として前ステージにおける硬判定後の信号に誤りがあり、かつ、自ステージの誤り検出結果として自ステージおける硬判定後の信号に誤りがない場合、当該自ステージおける硬判定後の信号を誤り訂正符号化して得られる信号を選択する、
ことを特徴とする請求項１３記載の干渉キャンセラ装置。
【請求項１６】
前記選択手段は、
前ステージの誤り検出結果として前ステージにおける硬判定後の信号に誤りがあり、かつ、自ステージの誤り検出結果として自ステージおける硬判定後の信号に誤りがある場合、自ステージおける軟判定後の信号を選択する、
ことを特徴とする請求項１３記載の干渉キャンセラ装置。
【請求項１７】
受信信号の誤り訂正復号後の信号を硬判定する前記硬判定手段と、
前ステージの誤り検出結果に基づいて、自ステージにおける硬判定後の信号および前ステージにおける硬判定後の信号の中から出力用の信号を選択する第２選択手段と、
選択された信号を出力する出力手段と、
を有する第２干渉キャンセラユニットを最終ステージに具備することを特徴とする請求項１３記載の干渉キャンセラ装置。
【請求項１８】
前記第２選択手段は、
前ステージの誤り検出結果として前ステージにおける硬判定後の信号に誤りがない場合、当該前ステージにおける硬判定後の信号を選択する、
ことを特徴とする請求項１７記載の干渉キャンセラ装置。
【請求項１９】
前記第２選択手段は、
前ステージの誤り検出結果として前ステージにおける硬判定後の信号に誤りがある場合、自ステージにおける硬判定後の信号を選択する、
ことを特徴とする請求項１７記載の干渉キャンセラ装置。
【請求項２０】
請求項１から請求項１９のいずれかに記載の干渉キャンセラ装置を具備することを特徴とする基地局装置。
【請求項２１】
請求項１から請求項１９のいずれかに記載の干渉キャンセラ装置を具備することを特徴とする移動局装置。
【請求項２２】
他ユーザの干渉レプリカを生成して受信信号から差し引くことによって他ユーザの干渉を除去する干渉除去方法において、
受信信号の誤り訂正復号後の信号を硬判定する硬判定ステップと、
硬判定後の信号に対して誤り検出を行う誤り検出ステップと、
誤り検出結果として硬判定後の信号に誤りがある場合、レプリカを小さくするための重み付け係数を用いてレプリカを生成するレプリカ生成ステップと、
を具備することを特徴とする干渉除去方法。
【請求項２３】
他ユーザの干渉レプリカを生成して受信信号から差し引くことによって他ユーザの干渉を除去する干渉除去方法において、
受信信号の誤り訂正復号後の信号を硬判定する第１硬判定ステップと、
第１硬判定後の信号に対して誤り検出を行う誤り検出ステップと、
誤り検出結果として第１硬判定後の信号に誤りがある場合、受信信号の誤り訂正復号前の信号を硬判定して得られる信号を用いてレプリカを生成するレプリカ生成ステップと、
を具備することを特徴とする干渉除去方法。
【請求項２４】
前記レプリカ生成ステップは、
誤り検出結果として第１硬判定後の信号に誤りがない場合、当該第１硬判定後の信号を誤り訂正符号化して得られる信号を用いてレプリカを生成する、
ことを特徴とする請求項２３記載の干渉除去方法。
【請求項２５】
他ユーザの干渉レプリカを生成して受信信号から差し引くことによって他ユーザの干渉を除去する干渉除去方法において、
受信信号の誤り訂正復号後の信号を硬判定する硬判定ステップと、
硬判定後の信号に対して誤り検出を行う誤り検出ステップと、
誤り検出結果として硬判定後の信号に誤りがある場合、受信信号の誤り訂正復号前の信号を軟判定して得られる信号を用いてレプリカを生成するレプリカ生成ステップと、
を具備することを特徴とする干渉除去方法。
【請求項２６】
前記レプリカ生成ステップは、
誤り検出結果として硬判定後の信号に誤りがない場合、当該硬判定後の信号を誤り訂正符号化して得られる信号を用いてレプリカを生成する、
ことを特徴とする請求項２５記載の干渉除去方法。
【請求項２７】
他ユーザの干渉レプリカを生成して受信信号から差し引くステージを複数備えた干渉キャンセラ装置における干渉除去方法であって、
受信信号の誤り訂正復号後の信号を硬判定する第１硬判定ステップと、
受信信号の誤り訂正復号前の信号を硬判定する第２硬判定ステップと、
第１硬判定後の信号に対して誤り検出を行う誤り検出ステップと、
自ステージの誤り検出結果および前ステージの誤り検出結果に基づいて、自ステージにおける第１硬判定後の信号を誤り訂正符号化して得られる信号、前ステージにおける第１硬判定後の信号を誤り訂正符号化して得られる信号、および自ステージにおける第２硬判定後の信号の中からレプリカ生成用の最適な信号を選択する選択ステップと、
選択された信号を用いてレプリカを生成するレプリカ生成ステップと、
を最終ステージを除く少なくとも一つのステージに具備することを特徴とする干渉除去方法。
【請求項２８】
前記選択ステップは、
前ステージの誤り検出結果として前ステージにおける第１硬判定後の信号に誤りがない場合、当該前ステージにおける第１硬判定後の信号を誤り訂正符号化して得られる信号を選択する、
ことを特徴とする請求項２７記載の干渉除去方法。
【請求項２９】
前記選択ステップは、
前ステージの誤り検出結果として前ステージにおける第１硬判定後の信号に誤りがあり、かつ、自ステージの誤り検出結果として自ステージにおける第１硬判定後の信号に誤りがない場合、当該自ステージにおける第１硬判定後の信号を誤り訂正符号化して得られる信号を選択する、
ことを特徴とする請求項２７記載の干渉除去方法。
【請求項３０】
前記選択ステップは、
前ステージの誤り検出結果として前ステージにおける第１硬判定後の信号に誤りがあり、かつ、自ステージの誤り検出結果として自ステージにおける第１硬判定後の信号に誤りがある場合、自ステージおける第２硬判定後の信号を誤り訂正符号化して得られる信号を選択する、
ことを特徴とする請求項２７記載の干渉除去方法。
【請求項３１】
受信信号の誤り訂正復号後の信号を硬判定する前記第１硬判定ステップと、
前ステージの誤り検出結果に基づいて、自ステージにおける第１硬判定後の信号および前ステージにおける第１硬判定後の信号の中から出力用の信号を選択する第２選択ステップと、
選択された信号を出力する出力ステップと、
を最終ステージに具備することを特徴とする請求項２７記載の干渉除去方法。
【請求項３２】
前記第２選択ステップは、
前ステージの誤り検出結果として前ステージにおける第１硬判定後の信号に誤りがない場合、当該前ステージにおける第１硬判定後の信号を選択する、
ことを特徴とする請求項３１記載の干渉除去方法。
【請求項３３】
前記第２選択ステップは、
前ステージの誤り検出結果として前ステージにおける第１硬判定後の信号に誤りがある場合、自ステージにおける第１硬判定後の信号を選択する、
ことを特徴とする請求項３１記載の干渉除去方法。
【請求項３４】
他ユーザの干渉レプリカを生成して受信信号から差し引くステージを複数備えた干渉キャンセラ装置における干渉除去方法であって、
受信信号の誤り訂正復号後の信号を硬判定する硬判定ステップと、
受信信号の誤り訂正復号前の信号を軟判定する軟判定ステップと、
硬判定後の信号に対して誤り検出を行う誤り検出ステップと、
自ステージの誤り検出結果および前ステージの誤り検出結果に基づいて、自ステージにおける硬判定後の信号を誤り訂正符号化して得られる信号、前ステージにおける硬判定後の信号を誤り訂正符号化して得られる信号、および自ステージにおける軟判定後の信号の中からレプリカ生成用の最適な信号を選択する選択ステップと、
選択された信号を用いてレプリカを生成するレプリカ生成ステップと、
を最終ステージを除く少なくとも一つのステージに具備することを特徴とする干渉除去方法。
【請求項３５】
前記選択ステップは、
前ステージの誤り検出結果として前ステージにおける硬判定後の信号に誤りがない場合、当該前ステージにおける硬判定後の信号を誤り訂正符号化して得られる信号を選択する、
ことを特徴とする請求項３４記載の干渉除去方法。
【請求項３６】
前記選択ステップは、
前ステージの誤り検出結果として前ステージにおける硬判定後の信号に誤りがあり、かつ、自ステージの誤り検出結果として自ステージおける硬判定後の信号に誤りがない場合、当該自ステージおける硬判定後の信号を誤り訂正符号化して得られる信号を選択する、
ことを特徴とする請求項３４記載の干渉除去方法。
【請求項３７】
前記選択ステップは、
前ステージの誤り検出結果として前ステージにおける硬判定後の信号に誤りがあり、かつ、自ステージの誤り検出結果として自ステージおける硬判定後の信号に誤りがある場合、自ステージおける軟判定後の信号を選択する、
ことを特徴とする請求項３４記載の干渉除去方法。
【請求項３８】
受信信号の誤り訂正復号後の信号を硬判定する前記硬判定ステップと、
前ステージの誤り検出結果に基づいて、自ステージにおける硬判定後の信号および前ステージにおける硬判定後の信号の中から出力用の信号を選択する第２選択ステップと、
選択された信号を出力する出力ステップと、
を最終ステージに具備することを特徴とする請求項３４記載の干渉除去方法。
【請求項３９】
前記第２選択ステップは、
前ステージの誤り検出結果として前ステージにおける硬判定後の信号に誤りがない場合、当該前ステージにおける硬判定後の信号を選択する、
ことを特徴とする請求項３８記載の干渉除去方法。
【請求項４０】
前記第２選択ステップは、
前ステージの誤り検出結果として前ステージにおける硬判定後の信号に誤りがある場合、自ステージにおける硬判定後の信号を選択する、
ことを特徴とする請求項３８記載の干渉除去方法。
【発明の詳細な説明】
【０００１】
【発明の属する技術分野】
本発明は、ＣＤＭＡ（Code Division Multiple Access）方式の移動体通信システムにおけるマルチユーザ型の干渉キャンセラ装置および干渉除去方法に関する。
【０００２】
【従来の技術】
マルチユーザ型の干渉キャンセラ装置は、通信を行っているすべてのユーザの移動局装置（以下単に「ユーザ」ともいう）の拡散符号、受信タイミング情報に基づいて干渉除去処理を行うものである。この干渉キャンセラ装置では、誤り訂正復号であるＦＥＣ（Forward Error Correction）復号後の信号を用いてレプリカを生成する方法が提案されている。
【０００３】
この方法では、レプリカ生成の際に、ＦＥＣ復号後の信号を仮判定し、仮判定データを用いてＦＥＣ符号化を行ってレプリカを生成するという手順が取られている。
【０００４】
【発明が解決しようとする課題】
しかしながら、このような従来の装置においては、ＦＥＣ復号後の仮判定値が誤っている場合、ＦＥＣ符号化後のレプリカが正しく生成されず、誤ったレプリカが生成されることによって、ユーザ間の干渉が増加するという問題がある。特に、ＦＥＣ符号に畳み込み符号を使用している場合には、仮判定値で１ビット誤った信号を符号化すると複数の符号化後の信号に多数の誤りを生じることになる。
【０００５】
本発明は、かかる点に鑑みてなされたものであり、適正なレプリカを生成してユーザ間の干渉を小さくすることができる干渉キャンセラ装置および干渉除去方法を提供することを目的とする。
【０００６】
【課題を解決するための手段】
本発明の干渉キャンセラ装置は、他ユーザの干渉レプリカを生成して受信信号から差し引くことによって他ユーザの干渉を除去する干渉キャンセラ装置において、受信信号の誤り訂正復号後の信号を硬判定する硬判定手段と、硬判定後の信号に対して誤り検出を行う誤り検出手段と、誤り検出結果として硬判定後の信号に誤りがある場合、レプリカを小さくするための重み付け係数を用いてレプリカを生成するレプリカ生成手段と、を具備する構成を採る。
【０００７】
この構成によれば、誤り訂正復号後の信号を硬判定して得られた信号の誤り検出を行い、誤りが検出された信号に対してはレプリカを小さくするための重み付け係数を用いてレプリカを生成するため、誤りのある信号の影響がなくなり、誤ったレプリカの生成による干渉増加（性能劣化）を抑制しうる適正なレプリカを生成することができ、ユーザ間の干渉を小さくすることができる。
【０００８】
本発明の干渉キャンセラ装置は、他ユーザの干渉レプリカを生成して受信信号から差し引くことによって他ユーザの干渉を除去する干渉キャンセラ装置において、受信信号の誤り訂正復号後の信号を硬判定する第１硬判定手段と、受信信号の誤り訂正復号前の信号を硬判定する第２硬判定手段と、第１硬判定後の信号に対して誤り検出を行う誤り検出手段と、誤り検出結果として第１硬判定後の信号に誤りがある場合、第２硬判定後の信号を用いてレプリカを生成するレプリカ生成手段と、を具備する構成を採る。
【０００９】
この構成によれば、誤り訂正復号後の信号を硬判定して得られた信号の誤り検出を行い、誤りが検出された場合は、誤り訂正復号前の信号を硬判定して得られる信号を用いてレプリカを生成するため、誤った信号を用いて誤ったレプリカを生成することがなくなり、精度の向上した適正なレプリカを生成することができ、ユーザ間の干渉を小さくすることができる。
【００１０】
本発明の干渉キャンセラ装置は、上記の構成において、前記レプリカ生成手段は、誤り検出結果として第１硬判定後の信号に誤りがない場合、当該第１硬判定後の信号を誤り訂正符号化して得られる信号を用いてレプリカを生成する、構成を採る。
【００１１】
この構成によれば、誤りのない信号を用いてレプリカを生成するため、確実に精度の高いレプリカを生成することができる。
【００１２】
本発明の干渉キャンセラ装置は、他ユーザの干渉レプリカを生成して受信信号から差し引くことによって他ユーザの干渉を除去する干渉キャンセラ装置において、受信信号の誤り訂正復号後の信号を硬判定する硬判定手段と、受信信号の誤り訂正復号前の信号を軟判定する軟判定手段と、硬判定後の信号に対して誤り検出を行う誤り検出手段と、誤り検出結果として硬判定後の信号に誤りがある場合、軟判定後の信号を用いてレプリカを生成するレプリカ生成手段と、を具備する構成を採る。
【００１３】
この構成によれば、誤り訂正復号後の信号を硬判定して得られた信号の誤り検出を行い、誤りが検出された場合は、誤り訂正復号前の信号を軟判定して得られる信号を用いてレプリカを生成するため、誤った信号を用いて誤ったレプリカを生成することがなくなり、精度の向上した適正なレプリカを生成することができ、ユーザ間の干渉を小さくすることができる。
【００１４】
本発明の干渉キャンセラ装置は、上記の構成において、前記レプリカ生成手段は、誤り検出結果として硬判定後の信号に誤りがない場合、当該硬判定後の信号を誤り訂正符号化して得られる信号を用いてレプリカを生成する、構成を採る。
【００１５】
この構成によれば、誤りのない信号を用いてレプリカを生成するため、確実に精度の高いレプリカを生成することができる。
【００１６】
本発明の干渉キャンセラ装置は、他ユーザの干渉レプリカを生成して受信信号から差し引くステージを複数備えた干渉キャンセラ装置において、受信信号の誤り訂正復号後の信号を硬判定する第１硬判定手段と、受信信号の誤り訂正復号前の信号を硬判定する第２硬判定手段と、第１硬判定後の信号に対して誤り検出を行う誤り検出手段と、自ステージの誤り検出結果および前ステージの誤り検出結果に基づいて、自ステージにおける第１硬判定後の信号を誤り訂正符号化して得られる信号、前ステージにおける第１硬判定後の信号を誤り訂正符号化して得られる信号、および自ステージにおける第２硬判定後の信号の中からレプリカ生成用の最適な信号を選択する選択手段と、選択された信号を用いてレプリカを生成するレプリカ生成手段と、を有する干渉キャンセラユニットを、最終ステージを除く少なくとも一つのステージに具備する構成を採る。
【００１７】
この構成によれば、自ステージおよび前ステージの誤り検出結果に基づいて、レプリカ生成用の最適な信号を選択してレプリカを生成するため、状況に応じて常に適正なレプリカを生成することができ、ユーザ間の干渉を小さくすることができる。
【００１８】
本発明の干渉キャンセラ装置は、上記の構成において、前記選択手段は、前ステージの誤り検出結果として前ステージにおける第１硬判定後の信号に誤りがない場合、当該前ステージにおける第１硬判定後の信号を誤り訂正符号化して得られる信号を選択する、構成を採る。
【００１９】
この構成によれば、誤りのない前ステージの信号を用いてレプリカを生成するため、確実に精度の高いレプリカを生成することができ、しかも、自ステージにおける処理の一部が不要になるため、演算量を削減することができる。
【００２０】
本発明の干渉キャンセラ装置は、上記の構成において、前記選択手段は、前ステージの誤り検出結果として前ステージにおける第１硬判定後の信号に誤りがあり、かつ、自ステージの誤り検出結果として自ステージにおける第１硬判定後の信号に誤りがない場合、当該自ステージにおける第１硬判定後の信号を誤り訂正符号化して得られる信号を選択する、構成を採る。
【００２１】
この構成によれば、誤りのない自ステージの信号を用いてレプリカを生成するため、確実に精度の高いレプリカを生成することができる。
【００２２】
本発明の干渉キャンセラ装置は、上記の構成において、前記選択手段は、前ステージの誤り検出結果として前ステージにおける第１硬判定後の信号に誤りがあり、かつ、自ステージの誤り検出結果として自ステージにおける第１硬判定後の信号に誤りがある場合、自ステージおける第２硬判定後の信号を選択する、構成を採る。
【００２３】
この構成によれば、誤った信号を使用せず、自ステージにおける誤り訂正復号前の信号を硬判定して得られる信号（誤り訂正復号前の信号の仮判定値）を用いてレプリカを生成するため、誤った信号を用いて誤ったレプリカを生成することがなくなり、レプリカの精度を向上することができる。
【００２４】
本発明の干渉キャンセラ装置は、上記の構成において、受信信号の誤り訂正復号後の信号を硬判定する前記第１硬判定手段と、前ステージの誤り検出結果に基づいて、自ステージにおける第１硬判定後の信号および前ステージにおける第１硬判定後の信号の中から出力用の信号を選択する第２選択手段と、選択された信号を出力する出力手段と、を有する第２干渉キャンセラユニットを最終ステージに具備する構成を採る。
【００２５】
この構成によれば、前ステージの誤り検出結果に基づいて、出力用の信号を選択するため、状況に応じて常に高精度の復調信号を出力することができる。
【００２６】
本発明の干渉キャンセラ装置は、上記の構成において、前記第２選択手段は、前ステージの誤り検出結果として前ステージにおける第１硬判定後の信号に誤りがない場合、当該前ステージにおける第１硬判定後の信号を選択する、構成を採る。
【００２７】
この構成によれば、誤りのない信号を復調信号として出力するため、確実に精度の高い復調信号を出力することができ、しかも、自ステージにおける処理が不要になるため、演算量を削減することができる。
【００２８】
本発明の干渉キャンセラ装置は、上記の構成において、前記第２選択手段は、前ステージの誤り検出結果として前ステージにおける第１硬判定後の信号に誤りがある場合、自ステージにおける第１硬判定後の信号を選択する、構成を採る。
【００２９】
この構成によれば、誤った信号を復調信号として出力してしまうことがなくなるため、出力する復調信号の精度を向上することができる。
【００３０】
本発明の干渉キャンセラ装置は、他ユーザの干渉レプリカを生成して受信信号から差し引くステージを複数備えた干渉キャンセラ装置において、受信信号の誤り訂正復号後の信号を硬判定する硬判定手段と、受信信号の誤り訂正復号前の信号を軟判定する軟判定手段と、硬判定後の信号に対して誤り検出を行う誤り検出手段と、自ステージの誤り検出結果および前ステージの誤り検出結果に基づいて、自ステージにおける硬判定後の信号を誤り訂正符号化して得られる信号、前ステージにおける硬判定後の信号を誤り訂正符号化して得られる信号、および自ステージにおける軟判定後の信号の中からレプリカ生成用の最適な信号を選択する選択手段と、選択された信号を用いてレプリカを生成するレプリカ生成手段と、を有する干渉キャンセラユニットを、最終ステージを除く少なくとも一つのステージに具備する構成を採る。
【００３１】
この構成によれば、自ステージおよび前ステージの誤り検出結果に基づいて、レプリカ生成用の最適な信号を選択してレプリカを生成するため、状況に応じて常に適正なレプリカを生成することができ、ユーザ間の干渉を小さくすることができる。
【００３２】
本発明の干渉キャンセラ装置は、上記の構成において、前記選択手段は、前ステージの誤り検出結果として前ステージにおける硬判定後の信号に誤りがない場合、当該前ステージにおける硬判定後の信号を誤り訂正符号化して得られる信号を選択する、構成を採る。
【００３３】
この構成によれば、誤りのない前ステージの信号を用いてレプリカを生成するため、確実に精度の高いレプリカを生成することができ、しかも、自ステージにおける処理の一部が不要になるため、演算量を削減することができる。
【００３４】
本発明の干渉キャンセラ装置は、上記の構成において、前記選択手段は、前ステージの誤り検出結果として前ステージにおける硬判定後の信号に誤りがあり、かつ、自ステージの誤り検出結果として自ステージおける硬判定後の信号に誤りがない場合、当該自ステージおける硬判定後の信号を誤り訂正符号化して得られる信号を選択する、構成を採る。
【００３５】
この構成によれば、誤りのない自ステージの信号を用いてレプリカを生成するため、確実に精度の高いレプリカを生成することができる。
【００３６】
本発明の干渉キャンセラ装置は、上記の構成において、前記選択手段は、前ステージの誤り検出結果として前ステージにおける硬判定後の信号に誤りがあり、かつ、自ステージの誤り検出結果として自ステージおける硬判定後の信号に誤りがある場合、自ステージおける軟判定後の信号を選択する、構成を採る。
【００３７】
この構成によれば、誤った信号を使用せず、自ステージにおける誤り訂正復号前の信号を軟判定して得られる信号（誤り訂正復号前の信号の仮判定値）を用いてレプリカを生成するため、誤った信号を用いて誤ったレプリカを生成することがなくなり、レプリカの精度を向上することができる。
【００３８】
本発明の干渉キャンセラ装置は、上記の構成において、受信信号の誤り訂正復号後の信号を硬判定する前記硬判定手段と、前ステージの誤り検出結果に基づいて、自ステージにおける硬判定後の信号および前ステージにおける硬判定後の信号の中から出力用の信号を選択する第２選択手段と、選択された信号を出力する出力手段と、を有する第２干渉キャンセラユニットを最終ステージに具備する構成を採る。
【００３９】
この構成によれば、前ステージの誤り検出結果に基づいて、出力用の信号を選択するため、状況に応じて常に高精度の復調信号を出力することができる。
【００４０】
本発明の干渉キャンセラ装置は、上記の構成において、前記第２選択手段は、前ステージの誤り検出結果として前ステージにおける硬判定後の信号に誤りがない場合、当該前ステージにおける硬判定後の信号を選択する、構成を採る。
【００４１】
この構成によれば、誤りのない信号を復調信号として出力するため、確実に精度の高い復調信号を出力することができ、しかも、自ステージにおける処理が不要になるため、演算量を削減することができる。
【００４２】
本発明の干渉キャンセラ装置は、上記の構成において、前記第２選択手段は、前ステージの誤り検出結果として前ステージにおける硬判定後の信号に誤りがある場合、自ステージにおける硬判定後の信号を選択する、構成を採る。
【００４３】
この構成によれば、誤った信号を復調信号として出力してしまうことがなくなるため、出力する復調信号の精度を向上することができる。
【００４４】
本発明の基地局装置は、上記いずれかの干渉キャンセラ装置を具備する構成を採る。
【００４５】
この構成によれば、受信信号に対して効果的な干渉除去を行うことが可能となり、基地局装置の性能を向上することができ、ユーザに快適な、たとえば、音声品質が良いなどの効果を提供することができる。
【００４６】
本発明の移動局装置は、上記いずれかの干渉キャンセラ装置を具備する構成を採る。
【００４７】
この構成によれば、受信信号に対して効果的な干渉除去を行うことが可能となり、移動局装置の性能を向上することができ、ユーザに快適な、たとえば、音声品質が良いなどの効果を提供することができる。
【００４８】
本発明の干渉除去方法は、他ユーザの干渉レプリカを生成して受信信号から差し引くことによって他ユーザの干渉を除去する干渉除去方法において、受信信号の誤り訂正復号後の信号を硬判定する硬判定ステップと、硬判定後の信号に対して誤り検出を行う誤り検出ステップと、誤り検出結果として硬判定後の信号に誤りがある場合、レプリカを小さくするための重み付け係数を用いてレプリカを生成するレプリカ生成ステップと、を具備するようにした。
【００４９】
この方法によれば、誤り訂正復号後の信号を硬判定して得られた信号の誤り検出を行い、誤りが検出された信号に対してはレプリカを小さくするための重み付け係数を用いてレプリカを生成するため、誤りのある信号の影響がなくなり、誤ったレプリカの生成による干渉増加（性能劣化）を抑制しうる適正なレプリカを生成することができ、ユーザ間の干渉を小さくすることができる。
【００５０】
本発明の干渉除去方法は、他ユーザの干渉レプリカを生成して受信信号から差し引くことによって他ユーザの干渉を除去する干渉除去方法において、受信信号の誤り訂正復号後の信号を硬判定する第１硬判定ステップと、第１硬判定後の信号に対して誤り検出を行う誤り検出ステップと、誤り検出結果として第１硬判定後の信号に誤りがある場合、受信信号の誤り訂正復号前の信号を硬判定して得られる信号を用いてレプリカを生成するレプリカ生成ステップと、を具備するようにした。
【００５１】
この方法によれば、誤り訂正復号後の信号を硬判定して得られた信号の誤り検出を行い、誤りが検出された場合は、誤り訂正復号前の信号を硬判定して得られる信号を用いてレプリカを生成するため、誤った信号を用いて誤ったレプリカを生成することがなくなり、精度の向上した適正なレプリカを生成することができ、ユーザ間の干渉を小さくすることができる。
【００５２】
本発明の干渉除去方法は、上記の方法において、前記レプリカ生成ステップは、誤り検出結果として第１硬判定後の信号に誤りがない場合、当該第１硬判定後の信号を誤り訂正符号化して得られる信号を用いてレプリカを生成する、ようにした。
【００５３】
この方法によれば、誤りのない信号を用いてレプリカを生成するため、確実に精度の高いレプリカを生成することができる。
【００５４】
本発明の干渉除去方法は、他ユーザの干渉レプリカを生成して受信信号から差し引くことによって他ユーザの干渉を除去する干渉除去方法において、受信信号の誤り訂正復号後の信号を硬判定する硬判定ステップと、硬判定後の信号に対して誤り検出を行う誤り検出ステップと、誤り検出結果として硬判定後の信号に誤りがある場合、受信信号の誤り訂正復号前の信号を軟判定して得られる信号を用いてレプリカを生成するレプリカ生成ステップと、を具備するようにした。
【００５５】
この方法によれば、誤り訂正復号後の信号を硬判定して得られた信号の誤り検出を行い、誤りが検出された場合は、誤り訂正復号前の信号を軟判定して得られる信号を用いてレプリカを生成するため、誤った信号を用いて誤ったレプリカを生成することがなくなり、精度の向上した適正なレプリカを生成することができ、ユーザ間の干渉を小さくすることができる。
【００５６】
本発明の干渉除去方法は、上記の方法において、前記レプリカ生成ステップは、誤り検出結果として硬判定後の信号に誤りがない場合、当該硬判定後の信号を誤り訂正符号化して得られる信号を用いてレプリカを生成する、ようにした。
【００５７】
この方法によれば、誤りのない信号を用いてレプリカを生成するため、確実に精度の高いレプリカを生成することができる。
【００５８】
本発明の干渉除去方法は、他ユーザの干渉レプリカを生成して受信信号から差し引くステージを複数備えた干渉キャンセラ装置における干渉除去方法であって、受信信号の誤り訂正復号後の信号を硬判定する第１硬判定ステップと、受信信号の誤り訂正復号前の信号を硬判定する第２硬判定ステップと、第１硬判定後の信号に対して誤り検出を行う誤り検出ステップと、自ステージの誤り検出結果および前ステージの誤り検出結果に基づいて、自ステージにおける第１硬判定後の信号を誤り訂正符号化して得られる信号、前ステージにおける第１硬判定後の信号を誤り訂正符号化して得られる信号、および自ステージにおける第２硬判定後の信号の中からレプリカ生成用の最適な信号を選択する選択ステップと、選択された信号を用いてレプリカを生成するレプリカ生成ステップと、を最終ステージを除く少なくとも一つのステージに具備するようにした。
【００５９】
この方法によれば、自ステージおよび前ステージの誤り検出結果に基づいて、レプリカ生成用の最適な信号を選択してレプリカを生成するため、状況に応じて常に適正なレプリカを生成することができ、ユーザ間の干渉を小さくすることができる。
【００６０】
本発明の干渉除去方法は、上記の方法において、前記選択ステップは、前ステージの誤り検出結果として前ステージにおける第１硬判定後の信号に誤りがない場合、当該前ステージにおける第１硬判定後の信号を誤り訂正符号化して得られる信号を選択する、ようにした。
【００６１】
この方法によれば、誤りのない前ステージの信号を用いてレプリカを生成するため、確実に精度の高いレプリカを生成することができ、しかも、自ステージにおける処理の一部が不要になるため、演算量を削減することができる。
【００６２】
本発明の干渉除去方法は、上記の方法において、前記選択ステップは、前ステージの誤り検出結果として前ステージにおける第１硬判定後の信号に誤りがあり、かつ、自ステージの誤り検出結果として自ステージにおける第１硬判定後の信号に誤りがない場合、当該自ステージにおける第１硬判定後の信号を誤り訂正符号化して得られる信号を選択する、ようにした。
【００６３】
この方法によれば、誤りのない自ステージの信号を用いてレプリカを生成するため、確実に精度の高いレプリカを生成することができる。
【００６４】
本発明の干渉除去方法は、上記の方法において、前記選択ステップは、前ステージの誤り検出結果として前ステージにおける第１硬判定後の信号に誤りがあり、かつ、自ステージの誤り検出結果として自ステージにおける第１硬判定後の信号に誤りがある場合、自ステージおける第２硬判定後の信号を誤り訂正符号化して得られる信号を選択する、ようにした。
【００６５】
この方法によれば、誤った信号を使用せず、自ステージにおける誤り訂正復号前の信号を硬判定して得られる信号（誤り訂正復号前の信号の仮判定値）を用いてレプリカを生成するため、誤った信号を用いて誤ったレプリカを生成することがなくなり、レプリカの精度を向上することができる。
【００６６】
本発明の干渉除去方法は、上記の方法において、受信信号の誤り訂正復号後の信号を硬判定する前記第１硬判定ステップと、前ステージの誤り検出結果に基づいて、自ステージにおける第１硬判定後の信号および前ステージにおける第１硬判定後の信号の中から出力用の信号を選択する第２選択ステップと、選択された信号を出力する出力ステップと、を最終ステージに具備するようにした。
【００６７】
この方法によれば、前ステージの誤り検出結果に基づいて、出力用の信号を選択するため、状況に応じて常に高精度の復調信号を出力することができる。
【００６８】
本発明の干渉除去方法は、上記の方法において、前記第２選択ステップは、前ステージの誤り検出結果として前ステージにおける第１硬判定後の信号に誤りがない場合、当該前ステージにおける第１硬判定後の信号を選択する、ようにした。
【００６９】
この方法によれば、誤りのない信号を復調信号として出力するため、確実に精度の高い復調信号を出力することができ、しかも、自ステージにおける処理が不要になるため、演算量を削減することができる。
【００７０】
本発明の干渉除去方法は、上記の方法において、前記第２選択ステップは、前ステージの誤り検出結果として前ステージにおける第１硬判定後の信号に誤りがある場合、自ステージにおける第１硬判定後の信号を選択する、ようにした。
【００７１】
この方法によれば、誤った信号を復調信号として出力してしまうことがなくなるため、出力する復調信号の精度を向上することができる。
【００７２】
本発明の干渉除去方法は、他ユーザの干渉レプリカを生成して受信信号から差し引くステージを複数備えた干渉キャンセラ装置における干渉除去方法であって、受信信号の誤り訂正復号後の信号を硬判定する硬判定ステップと、受信信号の誤り訂正復号前の信号を軟判定する軟判定ステップと、硬判定後の信号に対して誤り検出を行う誤り検出ステップと、自ステージの誤り検出結果および前ステージの誤り検出結果に基づいて、自ステージにおける硬判定後の信号を誤り訂正符号化して得られる信号、前ステージにおける硬判定後の信号を誤り訂正符号化して得られる信号、および自ステージにおける軟判定後の信号の中からレプリカ生成用の最適な信号を選択する選択ステップと、選択された信号を用いてレプリカを生成するレプリカ生成ステップと、を最終ステージを除く少なくとも一つのステージに具備するようにした。
【００７３】
この方法によれば、自ステージおよび前ステージの誤り検出結果に基づいて、レプリカ生成用の最適な信号を選択してレプリカを生成するため、状況に応じて常に適正なレプリカを生成することができ、ユーザ間の干渉を小さくすることができる。
【００７４】
本発明の干渉除去方法は、上記の方法において、前記選択ステップは、前ステージの誤り検出結果として前ステージにおける硬判定後の信号に誤りがない場合、当該前ステージにおける硬判定後の信号を誤り訂正符号化して得られる信号を選択する、ようにした。
【００７５】
この方法によれば、誤りのない前ステージの信号を用いてレプリカを生成するため、確実に精度の高いレプリカを生成することができ、しかも、自ステージにおける処理の一部が不要になるため、演算量を削減することができる。
【００７６】
本発明の干渉除去方法は、上記の方法において、前記選択ステップは、前ステージの誤り検出結果として前ステージにおける硬判定後の信号に誤りがあり、かつ、自ステージの誤り検出結果として自ステージおける硬判定後の信号に誤りがない場合、当該自ステージおける硬判定後の信号を誤り訂正符号化して得られる信号を選択する、ようにした。
【００７７】
この方法によれば、誤りのない自ステージの信号を用いてレプリカを生成するため、確実に精度の高いレプリカを生成することができる。
【００７８】
本発明の干渉除去方法は、上記の方法において、前記選択ステップは、前ステージの誤り検出結果として前ステージにおける硬判定後の信号に誤りがあり、かつ、自ステージの誤り検出結果として自ステージおける硬判定後の信号に誤りがある場合、自ステージおける軟判定後の信号を選択する、ようにした。
【００７９】
この方法によれば、誤った信号を使用せず、自ステージにおける誤り訂正復号前の信号を軟判定して得られる信号（誤り訂正復号前の信号の仮判定値）を用いてレプリカを生成するため、誤った信号を用いて誤ったレプリカを生成することがなくなり、レプリカの精度を向上することができる。
【００８０】
本発明の干渉除去方法は、上記の方法において、受信信号の誤り訂正復号後の信号を硬判定する前記硬判定ステップと、前ステージの誤り検出結果に基づいて、自ステージにおける硬判定後の信号および前ステージにおける硬判定後の信号の中から出力用の信号を選択する第２選択ステップと、選択された信号を出力する出力ステップと、を最終ステージに具備するようにした。
【００８１】
この方法によれば、前ステージの誤り検出結果に基づいて、出力用の信号を選択するため、状況に応じて常に高精度の復調信号を出力することができる。
【００８２】
本発明の干渉除去方法は、上記の方法において、前記第２選択ステップは、前ステージの誤り検出結果として前ステージにおける硬判定後の信号に誤りがない場合、当該前ステージにおける硬判定後の信号を選択する、ようにした。
【００８３】
この方法によれば、誤りのない信号を復調信号として出力するため、確実に精度の高い復調信号を出力することができ、しかも、自ステージにおける処理が不要になるため、演算量を削減することができる。
【００８４】
本発明の干渉除去方法は、上記の方法において、前記第２選択ステップは、前ステージの誤り検出結果として前ステージにおける硬判定後の信号に誤りがある場合、自ステージにおける硬判定後の信号を選択する、ようにした。
【００８５】
この方法によれば、誤った信号を復調信号として出力してしまうことがなくなるため、出力する復調信号の精度を向上することができる。
【００８６】
【発明の実施の形態】
以下、本発明の実施の形態について、添付図面を参照して詳細に説明する。
【００８７】
（実施の形態１）
図１は、本発明の実施の形態１に係る干渉キャンセラ装置の構成を示すブロック図である。
【００８８】
図１に示す干渉キャンセラ装置は、マルチステージ型の干渉キャンセラであって、アンテナ１００を先頭に縦続接続された三つのステージ、すなわち、第１ステージ１０１、第２ステージ１０２、および第３ステージ１０３を備えている。最終ステージ（第３ステージ１０３）を除く各ステージ（第１ステージ１０１と第２ステージ１０２）では、受信信号がユーザ対応の干渉キャンセラユニット（Interference Canceller Unit：以下「ＩＣＵ部」という）に入力されると、ユーザ信号ごとにＩＣＵ部で干渉信号のレプリカを生成し、生成したレプリカを受信信号から差し引くことにより、干渉を除去する。このとき、２段目以降のステージ（第２ステージ１０２）では、自ユーザ以外の他ユーザの１段前のステージで生成されたレプリカが差し引かれた信号から、ＩＣＵ部でレプリカを生成する。このような手順を取ることにより、ステージごとにレプリカの精度を向上させて干渉除去を行っていく。
【００８９】
具体的には、第１ステージ１０１は、アンテナ１００の受信信号を遅延させる遅延部１１０と、アンテナ１００で受信されたユーザ信号ごとにレプリカを生成する複数（ここでは三つ）のＩＣＵ部１１１〜１１３と、遅延部１１０で遅延された受信信号から、各ＩＣＵ部１１１〜１１３から出力されるレプリカを減算する減算部１１４と、この減算部１１４における減算結果と対応するＩＣＵ部１１１〜１１３から出力されるレプリカとを加算する加算部１１５〜１１７とを備えている。
【００９０】
第２ステージ１０２は、遅延部１１０で遅延された受信信号を遅延させる遅延部１２０と、第１ステージ１０１の各加算部１１５〜１１７から出力されるユーザ信号ごとにレプリカを生成するＩＣＵ部１２１〜１２３と、遅延部１２０で遅延された受信信号から、各ＩＣＵ部１２１〜１２３から出力されるレプリカを減算する減算部１２４と、この減算部１２４における減算結果と対応するＩＣＵ部１２１〜１２３から出力されるレプリカとを加算する加算部１２５〜１２７とを備えている。
【００９１】
第３ステージ１０３は、第２ステージ１０２の各加算部１２５〜１２７から出力されるユーザ信号ごとに復調信号を生成するＩＣＵ部１３１〜１３３を備えている。
【００９２】
なお、本実施の形態では、図１に示すように、干渉キャンセラ装置のステージ数（段数）を三つとし、ユーザ数（各ステージのＩＣＵ部の数）を三つとしているが、もちろん、これに限定されるわけではない。
【００９３】
次に、各ステージ１０１〜１０３における各ＩＣＵ部１１１〜１１３，１２１〜１２３，１３１〜１３３の構成について、図２および図３を用いて説明する。
【００９４】
まず、第１および第２ステージ１０１，１０２における各ＩＣＵ部１１１〜１１３，１２１〜１２３は、図２に示すように、ＲＡＫＥ受信部２０１、送信データ判定部２０２、およびレプリカ生成部２０３を備えている。
【００９５】
ＲＡＫＥ受信部２０１は、信号伝送路である複数のパスごとに逆拡散部２０４、チャネル推定部２０５、および乗算部２０６を備えるとともに、各パスの乗算部２０６から出力される信号をすべて加算する加算部２０７を備えている。
【００９６】
送信データ判定部２０２は、ＦＥＣ復号部２０８、硬判定部２０９、ＦＥＣ符号化部２１０、誤り検出部２１１、重み係数決定部２１２、および乗算部２１３を備えている。
【００９７】
レプリカ生成部２０３は、上記パスごとに乗算部２１４および再拡散部２１５を備えるとともに、各パスの再拡散部２１５から出力される信号をすべて加算する加算部２１６を備えている。
【００９８】
次に、最終ステージである第３ステージ１０３における各ＩＣＵ部１３１〜１３３は、図３に示すように、上記のＲＡＫＥ受信部２０１と、上記の送信データ判定部２０２に対してＦＥＣ復号部２０８および硬判定部２０９のみを有する送信データ判定部２０２ａとを備えている。すなわち、第３ステージ１０３のＩＣＵ部１３１〜１３３が第１および第２ステージ１０１，１０２のＩＣＵ部１１１〜１１３，１２１〜１２３と異なる点は、レプリカ生成部２０３がないこと、および、送信データ判定部２０２ａがＦＥＣ復号部２０８と硬判定部２０９しか有しないことである。これは、第３ステージ１０３では、レプリカではなく復調信号が出力されるため、レプリカの生成に必要な構成要素が不要となるからである。
【００９９】
次いで、上記構成を有する干渉キャンセラ装置の動作、特に、各ステージ１０１〜１０３における各ＩＣＵ部１１１〜１１３，１２１〜１２３，１３１〜１３３の動作について、図２および図３を用いて説明する。
【０１００】
まず、第１および第２ステージ１０１，１０２における各ＩＣＵ部１１１〜１１３，１２１〜１２３の動作について、図２を用いて説明する。
【０１０１】
まず、ＲＡＫＥ受信部２０１では、自ユーザ信号に対してＲＡＫＥ受信が行われる。
【０１０２】
すなわち、パスごとに、自ユーザ信号が逆拡散部２０４で逆拡散され、この逆拡散信号がチャネル推定部２０５および乗算部２０６へ出力される。
【０１０３】
チャネル推定部２０５では、逆拡散信号からフェージングで回転した信号の位相と振幅のベクトルが推定され、これによって得られたチャネル推定値が乗算部２０６へ出力される。
【０１０４】
乗算部２０６では、逆拡散信号とチャネル推定値とが乗算される。これによって得られる各パスの乗算結果はすべて加算部２０７で加算される。この加算の結果であるＲＡＫＥ受信の結果は、送信データ判定部２０２内のＦＥＣ復号部２０８へ出力される。
【０１０５】
ＦＥＣ復号部２０８では、ＲＡＫＥ受信の結果からＦＥＣ復号が行われる。このＦＥＣ復号は、送信側で符号化された信号を復号するものであり、たとえば、ビタビ復号が用いられる。
【０１０６】
ＦＥＣ復号後の信号は、硬判定部２０９で硬判定された後、ＦＥＣ符号化部２１０および誤り検出部２１１へ出力される。ＦＥＣ符号化部２１０では、硬判定信号のＦＥＣ符号化が行われる。このＦＥＣ符号化は、送信側で符号化されたとおりの符号化を行うものであり、たとえば、畳み込み符号やターボ符号が用いられる。
【０１０７】
また、硬判定信号は、誤り検出部２１１で誤り検出が行われる。この誤り検出は、ある区間、たとえば、１フレーム区間の信号に対して伝送路で誤りが生じたか否かを検出するものであり、たとえば、ＣＲＣ（Cyclic Redundancy Check）などによって実行される。
【０１０８】
誤り検出結果は、重み係数決定部２１２に入力され、この誤り検出結果に応じて重み付け係数（以下単に「重み係数」という）α（０≦α≦１）の値が決定される。ここでは、誤りが検出された場合は、重み係数αの値を小さい値（たとえば、０に近い値）にし、誤りが検出されなかった場合は、重み係数αの値を１にする。
【０１０９】
決定された重み係数αは、乗算部２１３でＦＥＣ符号化信号と乗算される。これによって得られる乗算結果は、レプリカ生成部２０３内の各パスの乗算部２１４へ出力される。
【０１１０】
各パスの乗算部２１４では、送信データ判定部２０２からの乗算結果と、ＲＡＫＥ受信部２０１からの対応するパスのチャネル推定値とが乗算される。この乗算の結果に対しては、再拡散部２１５で、送信側と同様の拡散処理が行われる。
【０１１１】
このようにして得られた各パスの拡散信号は、加算部２１６で加算される。この加算の結果得られたレプリカは、各ＩＣＵ部１１１〜１１３，１２１〜１２３，１３１〜１３３の出力として、レプリカ生成部２０３から出力される。
【０１１２】
次に、第３ステージ１０３における各ＩＣＵ部１３１〜１３３の動作について、図３を用いて説明する。なお、第１および第２ステージ１０１，１０２と共通する部分の説明は省略する。
【０１１３】
ＲＡＫＥ受信の結果であるＲＡＫＥ受信部２０１の出力は、送信データ判定部２０２ａ内のＦＥＣ復号部２０８へ出力される。
【０１１４】
ＦＥＣ復号部２０８では、ＲＡＫＥ受信の結果からＦＥＣ復号（たとえば、ビタビ復号）が行われる。このＦＥＣ復号後の信号は、硬判定部２０９で硬判定された後、各ＩＣＵ部１３１〜１３３の出力として、送信データ判定部２０２ａから出力される。すなわち、硬判定部２０９から出力される硬判定信号は、復調信号として、各ＩＣＵ部１３１〜１３３から出力される。
【０１１５】
このように、本実施の形態の干渉キャンセラ装置によれば、ＦＥＣ復号後の信号を硬判定して得られた信号の誤り検出を行い、誤り検出結果に応じた重み付け係数を用いてレプリカを生成する、たとえば、誤りが検出された信号に対しては重み付け係数の値を小さくしてレプリカを生成するため、誤りのある信号の影響がなくなり、誤ったレプリカの生成による干渉増加（性能劣化）を抑制しうる適正なレプリカを生成することができ、ユーザ間の干渉を小さくすることができる。
【０１１６】
（実施の形態２）
図４は、本発明の実施の形態２に係る干渉キャンセラ装置の構成を示すブロック図である。
【０１１７】
図４に示す干渉キャンセラ装置は、図１に示す実施の形態１に対応する干渉キャンセラ装置と同様にマルチステージ型の干渉キャンセラ装置であって、アンテナ３００を先頭に縦続接続された四つのステージ、すなわち、第１ステージ３０１、第２ステージ３０２、第３ステージ３０３、および第４ステージ３０４を備えている。実施の形態２が実施の形態１と異なる点は、各ステージ（最終段を除く）における各ＩＣＵ部からＣＲＣ結果およびＦＥＣ符号化後の硬判定値（以下単に「硬判定値」という）が出力されて次ステージの対応するＩＣＵ部に入力されることである。これにより、あるステージのあるＩＣＵ部においてＣＲＣ結果がＯＫ（つまり、誤りなし）になった場合、それ以降のステージの対応するＩＣＵ部において、誤りなしになった時点の硬判定値を用いてレプリカを生成することが可能になる。
【０１１８】
具体的には、第１ステージ３０１は、アンテナ３００の受信信号を遅延させる遅延部３１０と、アンテナ３００で受信されたユーザ信号ごとにレプリカを生成するとともに、ＣＲＣ結果および硬判定値を出力する複数（ここでは三つ）のＩＣＵ部３１１〜３１３と、遅延部３１０で遅延された受信信号から、各ＩＣＵ部３１１〜３１３から出力されるレプリカを減算する減算部３１４と、減算部３１４における減算結果と対応するＩＣＵ部３１１〜３１３から出力されるレプリカとを加算する加算部３１５〜３１７とを備えている。
【０１１９】
第２ステージ３０２は、遅延部３１０で遅延された受信信号を遅延させる遅延部３２０と、第１ステージ３０１の各加算部３１５〜３１７から出力されるユーザ信号ならびに第１ステージ３０１からのＣＲＣ結果および硬判定値に応じてレプリカを生成するとともに、ＣＲＣ結果および硬判定値を出力するＩＣＵ部３２１〜３２３と、遅延部３２０で遅延された受信信号から、各ＩＣＵ部３２１〜３２３から出力されるレプリカを減算する減算部３２４と、この減算部３２４における減算結果と対応するＩＣＵ部３２１〜３２３から出力されるレプリカとを加算する加算部３２５〜３２７とを備えている。
【０１２０】
また、第３ステージ３０３も、第２ステージ３０２と同様に構成されている。すなわち、第３ステージ３０３は、遅延部３２０で遅延された受信信号を遅延させる遅延部３３０と、第２ステージ３０２の各加算部３２５〜３２７から出力されるユーザ信号ならびに第２ステージ３０２からのＣＲＣ結果および硬判定値に応じてレプリカを生成するとともに、ＣＲＣ結果および硬判定値を出力するＩＣＵ部３３１〜３３３と、遅延部３３０で遅延された受信信号から、各ＩＣＵ部３３１〜３３３から出力されるレプリカを減算する減算部３３４と、この減算部３３４における減算結果と対応するＩＣＵ部３３１〜３３３から出力されるレプリカとを加算する加算部３３５〜３３７とを備えている。
【０１２１】
第４ステージ３０４は、第３ステージ３０３の各加算部３３５〜３３７から出力されるユーザ信号ならびに第３ステージ３０３からのＣＲＣ結果および硬判定値に応じてそのユーザ信号ごとに復調信号を生成するＩＣＵ部３４１〜３４３を備えている。
【０１２２】
なお、本実施の形態では、図４に示すように、干渉キャンセラ装置のステージ数（段数）を四つとし、ユーザ数（各ステージのＩＣＵ部の数）を三つとしているが、もちろん、これに限定されるわけではない。
【０１２３】
次に、各ステージ３０１〜３０４における各ＩＣＵ部３１１〜３１３，３２１〜３２３，３３１〜３３３，３４１〜３４３の構成について、図５〜図７を用いて説明する。
【０１２４】
まず、第１ステージ３０１における各ＩＣＵ部３１１〜３１３は、図５に示すように、ＲＡＫＥ受信部４０１、送信データ判定部４０２、およびレプリカ生成部４０３に加えて、誤り検出部４２１、スイッチ制御部４２２、およびスイッチ部４２３を備えている。
【０１２５】
ＲＡＫＥ受信部４０１は、信号伝送路である複数のパスごとに逆拡散部４０４、チャネル推定部４０５、および乗算部４０６を備えるとともに、各パスの乗算部４０６から出力される信号をすべて加算する加算部４０７を備えている。
【０１２６】
送信データ判定部４０２は、ＦＥＣ復号部４０８、硬判定部４０９、ＦＥＣ符号化部４１０、およびＦＥＣ復号前硬判定部４１１を備えている。
【０１２７】
レプリカ生成部４０３は、上記パスごとに乗算部４１４および再拡散部４１５を備えるとともに、各パスの再拡散部４１５から出力される信号をすべて加算する加算部４１６を備えている。
【０１２８】
次に、第２ステージ３０２の各ＩＣＵ部３２１〜３２３および第３ステージ３０３の各ＩＣＵ部３３１〜３３３は、図６に示すように、上記のＲＡＫＥ受信部４０１、上記の送信データ判定部４０２、および上記のレプリカ生成部４０３に加えて、誤り検出部４２１ａ、スイッチ制御部４２２ａ、およびスイッチ部４２３ａを備えている。
【０１２９】
次に、第４ステージ３０４の各ＩＣＵ部３４１〜３４３は、図７に示すように、上記のＲＡＫＥ受信部４０１に加えて、上記の送信データ判定部４０２に対してＦＥＣ復号部４０８および硬判定部４０９のみを有する送信データ判定部４０２ａ、スイッチ制御部４２２ｂ、スイッチ部４２３ｂ、ならびにＦＥＣ復号部４２４を備えている。
【０１３０】
次いで、上記構成を有する干渉キャンセラ装置の動作、特に、各ステージ３０１〜３０４における各ＩＣＵ部３１１〜３１３，３２１〜３２３，３３１〜３３３，３４１〜３４３の動作について、図５〜図７を用いて説明する。
【０１３１】
まず、第１ステージ３０１における各ＩＣＵ部３１１〜３１３の動作について、図５を用いて説明する。
【０１３２】
まず、ＲＡＫＥ受信部４０１では、自ユーザ信号に対してＲＡＫＥ受信が行われる。
【０１３３】
すなわち、パスごとに、自ユーザ信号が逆拡散部４０４で逆拡散され、この逆拡散信号がチャネル推定部４０５および乗算部４０６へ出力される。
【０１３４】
チャネル推定部４０５では、逆拡散信号からフェージングで回転した信号の位相と振幅のベクトルが推定され、これによって得られたチャネル推定値が乗算部４０６へ出力される。
【０１３５】
乗算部４０６では、逆拡散信号とチャネル推定値とが乗算される。これによって得られる各パスの乗算結果はすべて加算部４０７で加算される。この加算の結果であるＲＡＫＥ受信の結果は、送信データ判定部４０２内のＦＥＣ復号部４０８およびＦＥＣ復号前硬判定部４１１へ出力される。
【０１３６】
ＦＥＣ復号前硬判定部４１１では、ＲＡＫＥ受信の結果から直接硬判定が行われ、この結果得られたＦＥＣ復号前の硬判定信号（硬判定値）がスイッチ部４２３へ出力される。
【０１３７】
一方、ＦＥＣ復号部４０８では、ＲＡＫＥ受信の結果からＦＥＣ復号が行われる。このＦＥＣ復号後の信号は、硬判定部４０９で硬判定された後、ＦＥＣ符号化部４１０および誤り検出部４２１へ出力される。
【０１３８】
ＦＥＣ符号化部４１０では、硬判定信号のＦＥＣ符号化が行われ、このＦＥＣ符号化された硬判定値が、スイッチ部４２３および第２ステージ３０２の対応するＩＣＵ部３２１〜３２３へ出力される。
【０１３９】
また、誤り検出部４２１では、硬判定部４０９からの硬判定信号の誤り検出が行われる。たとえば、ＣＲＣによって誤り検出を行ったとすると、このＣＲＣ結果がスイッチ制御部４２２および第２ステージ３０２の対応するＩＣＵ部３２１〜３２３へ出力される。
【０１４０】
ここで、スイッチ制御部４２２は、下記の条件に従って、レプリカ生成部４０３に出力する信号を選択する。
【０１４１】
第１に、誤り検出部４２１におけるＣＲＣ結果がＮＧ（誤りあり）の場合、スイッチ制御部４２２は、スイッチ部４２３をＦＥＣ復号前硬判定部４１１側に切り替え、ＦＥＣ復号前の硬判定値がレプリカ生成部４０３内の各パスの乗算部４１４へ出力されるようにする。
【０１４２】
この場合、各パスの乗算部４１４では、ＦＥＣ復号前の硬判定値と、ＲＡＫＥ受信部４０１からの対応するパスのチャネル推定値とが乗算され、この結果が、再拡散部４１５で、送信側と同様に拡散処理される。
【０１４３】
このようにして得られた各パスの拡散信号は、加算部４１６で加算される。この加算の結果得られたレプリカは、各ＩＣＵ部３１１〜３１３の出力として、レプリカ生成部４０３から出力された後、加算部３１５〜３１７を経て、第２ステージ３０２へ送られる。
【０１４４】
第２に、誤り検出部４２１におけるＣＲＣ結果がＯＫ（誤りなし）の場合、スイッチ制御部４２２は、スイッチ部４２３をＦＥＣ符号化部４１０側に切り替え、ＦＥＣ符号化後の硬判定信号（硬判定値）がレプリカ生成部４０３内の各パスの乗算部４１４へ出力されるようにする。
【０１４５】
この場合、各パスの乗算部４１４では、ＦＥＣ符号化後の硬判定値と、ＲＡＫＥ受信部４０１からの対応するパスのチャネル推定値とが乗算され、この結果が、再拡散部４１５で拡散処理される。このようにして得られた各パスの拡散信号は、加算部４１６で加算される。この加算の結果得られたレプリカは、各ＩＣＵ部３１１〜３１３の出力として、レプリカ生成部４０３から出力された後、加算部３１５〜３１７を経て、第２ステージ３０２へ送られる。
【０１４６】
次に、第２ステージ３０２における各ＩＣＵ部３２１〜３２３の動作について、図６を用いて説明する。なお、第１ステージ３０１と共通する部分の説明は省略する。
【０１４７】
ＲＡＫＥ受信部４０１および送信データ判定部４０２における処理は、第１ステージ３０１の場合と同様であるため、その説明を省略する。
【０１４８】
ここでは、誤り検出部４２１ａへは、自ステージ（第２ステージ３０２）における硬判定部４０９からの硬判定信号に加えて、前ステージ（第１ステージ３０１）からのＣＲＣ結果が入力され、また、スイッチ部４２３ａへは、自ステージにおけるＦＥＣ復号前の硬判定値およびＦＥＣ符号化後の硬判定値に加えて、前ステージからの硬判定値が入力されるようになっている。また、誤り検出部４２１ａにおける自ステージの誤り検出結果（ＣＲＣ結果）、および、ＦＥＣ符号化部４１０からの硬判定値は、次ステージ（第３ステージ３０３）の対応するＩＣＵ部３３１〜３３３へ出力される。
【０１４９】
この場合、スイッチ制御部４２２ａは、下記の条件に従って、レプリカ生成部４０３に出力する信号を選択する。
【０１５０】
第１に、誤り検出部４２１ａにより、前ステージからのＣＲＣ結果がＯＫ（誤りなし）であることが検出された場合、スイッチ制御部４２２ａは、スイッチ部４２３ａを前ステージの硬判定値を選択する位置に切り替え、当該前ステージの硬判定値がレプリカ生成部４０３へ出力されるようにする。
【０１５１】
この場合、誤りのない信号を用いてレプリカを生成するため、確実に精度の高いレプリカを生成することができる。しかも、自ステージにおいて、ＦＥＣ復号、硬判定、およびＦＥＣ符号化の一連の処理が不要になるため、演算量を削減することができる。
【０１５２】
第２に、誤り検出部４２１ａにより、前ステージからのＣＲＣ結果がＮＧ（誤りあり）であり、かつ、自ステージにおける硬判定部４０９からの硬判定信号のＣＲＣ結果がＯＫであることが検出された場合、スイッチ制御部４２２ａは、スイッチ部４２３ａをＦＥＣ符号化部４１０からの硬判定値を選択する位置に切り替え、当該ＦＥＣ符号化部４１０からの硬判定値がレプリカ生成部４０３へ出力されるようにする。
【０１５３】
この場合も、誤りのない信号を用いてレプリカを生成するため、確実に精度の高いレプリカを生成することができる。
【０１５４】
第３に、誤り検出部４２１ａにより、前ステージからのＣＲＣ結果がＮＧであり、かつ、自ステージにおける硬判定部４０９からの硬判定信号のＣＲＣ結果もＮＧであることが検出された場合、スイッチ制御部４２２ａは、スイッチ部４２３ａをＦＥＣ復号前硬判定部４１１からの硬判定値を選択する位置に切り替え、当該ＦＥＣ復号前硬判定部４１１からの硬判定値がレプリカ生成部４０３へ出力されるようにする。
【０１５５】
この場合、レプリカ生成部４０３において誤った信号を用いて誤ったレプリカを生成してしまうことがなくなるため、レプリカの精度を向上することができる。
【０１５６】
なお、第３ステージ３０３においても、上述した第２ステージ３０２と同様の処理が行われるため、その説明を省略する。ただし、ここでは、誤り検出部４２１ａへは、自ステージ（第３ステージ３０３）における硬判定部４０９からの硬判定信号に加えて、前ステージ（第２ステージ３０２）からのＣＲＣ結果が入力され、また、スイッチ部４２３ａへは、自ステージにおけるＦＥＣ復号前の硬判定値およびＦＥＣ符号化後の硬判定値に加えて、前ステージからの硬判定値が入力されるようになっている。また、誤り検出部４２１ａにおける自ステージの誤り検出結果（ＣＲＣ結果）、および、ＦＥＣ符号化部４１０からの硬判定値は、次ステージ（第４ステージ３０４）の対応するＩＣＵ部３４１〜３４３へ出力される。
【０１５７】
次に、第４ステージ３０４における各ＩＣＵ部３４１〜３４３の動作について、図７を用いて説明する。なお、第１ステージ３０１と共通する部分の説明は省略する。
【０１５８】
ＲＡＫＥ受信部４０１における処理は、第１ステージ３０１の場合と同様であるため、その説明を省略する。
【０１５９】
ＲＡＫＥ受信の結果であるＲＡＫＥ受信部４０１の出力は、送信データ判定部４０２ａ内のＦＥＣ復号部４０８へ出力される。
【０１６０】
ＦＥＣ復号部４０８では、ＲＡＫＥ受信の結果からＦＥＣ復号が行われる。このＦＥＣ復号後の信号は、硬判定部４０９で硬判定された後、スイッチ部４２３ｂへ出力される。
【０１６１】
一方、スイッチ部４２３ｂへは、前ステージ（第３ステージ３０３）からの硬判定値をＦＥＣ復号部４２４で復号して得られた信号も入力される。
【０１６２】
また、スイッチ制御部４２２ｂへは、前ステージからのＣＲＣ結果が入力される。
【０１６３】
ここで、スイッチ制御部４２２ｂは、下記の条件に従って、復調信号として各ＩＣＵ部３４１〜３４３から出力する信号を選択する。
【０１６４】
第１に、前ステージからのＣＲＣ結果がＯＫ（誤りなし）の場合、スイッチ制御部４２２ｂは、スイッチ部４２３ｂを、前ステージの硬判定値をＦＥＣ復号部４２４でＦＥＣ復号して得られた信号を選択する位置に切り替え、当該前ステージの硬判定値をＦＥＣ復号して得られた信号が復調信号として出力されるようにする。
【０１６５】
この場合、誤りのない硬判定信号を復調信号として出力するため、確実に精度の高い復調信号を出力することができる。しかも、自ステージ（第４ステージ３０４）において、ＲＡＫＥ受信処理および送信データ判定処理が不要になるため、演算量を削減することができる。
【０１６６】
第２に、前ステージからのＣＲＣ結果がＮＧ（誤りあり）の場合、スイッチ制御部４２２ｂは、スイッチ部４２３ｂを自ステージにおける硬判定部４０９からの硬判定信号を選択する位置に切り替え、当該自ステージにおける硬判定部４０９からの硬判定信号が復調信号として出力されるようにする。
【０１６７】
この場合、誤った信号を復調信号として出力してしまうことがなくなるため、出力する復調信号の精度を向上することができる。
【０１６８】
このように、本実施の形態の干渉キャンセラ装置によれば、最終ステージを除くあるステージにおいて、ＦＥＣ復号後の信号を硬判定して得られた信号の誤り検出（ＣＲＣ）を行い、自ステージにおけるＣＲＣ結果および硬判定値（ＦＥＣ符号化された硬判定信号）を次ステージへ出力するようにした上で、前ステージからのＣＲＣ結果がＯＫ（誤りなし）の場合は、誤りのない前ステージの硬判定値を用いてレプリカを生成するため、確実に精度の高いレプリカを生成することができる。しかも、この場合、自ステージにおいてＦＥＣ復号、硬判定、およびＦＥＣ符号化の一連の処理が不要になるため、演算量を削減することができる。
【０１６９】
また、前ステージからのＣＲＣ結果がＮＧ（誤りあり）であり、かつ、自ステージにおけるＣＲＣ結果がＯＫである場合は、誤りのない自ステージの硬判定値を用いてレプリカを生成するため、確実に精度の高いレプリカを生成することができる。
【０１７０】
また、前ステージからのＣＲＣ結果がＮＧであり、かつ、自ステージにおけるＣＲＣ結果もＮＧである場合は、誤った信号を使用せず、自ステージにおけるＦＥＣ復号前の信号を硬判定して得られた信号を用いてレプリカを生成するため、誤った信号を用いて誤ったレプリカを生成することがなくなり、レプリカの精度を向上することができる。
【０１７１】
したがって、このような処理により適正なレプリカを生成することができ、ユーザ間の干渉を小さくすることができる。
【０１７２】
（実施の形態３）
図８は、本発明の実施の形態３に係る干渉キャンセラ装置における第１ステージのＩＣＵ部の構成を示すブロック図であり、図９は、同実施の形態に係る干渉キャンセラ装置における第２ステージ以降のステージ（最終ステージを除く）のＩＣＵ部の構成を示すブロック図である。なお、ここでは、図５および図６に示す実施の形態２に対応する干渉キャンセラ装置と同一の構成要素には同一の符号を付し、その説明を省略する。
【０１７３】
実施の形態３の特徴は、実施の形態２におけるＦＥＣ復号前硬判定部４１１の代わりに、ＲＡＫＥ受信の結果から直接軟判定を行うＦＥＣ復号前軟判定部５１１を有することである。したがって、この場合、ＦＥＣ復号前軟判定部５１１における軟判定の結果得られたＦＥＣ復号前の軟判定信号（軟判定値）がスイッチ部４２３，４２３ａへ出力され、上記の選択条件に従って、レプリカ生成部４０３に出力される。
【０１７４】
このように、本実施の形態の干渉キャンセラ装置によれば、最終ステージを除くあるステージにおいて、ＦＥＣ復号後の信号を硬判定して得られた信号の誤り検出（ＣＲＣ）を行い、自ステージにおけるＣＲＣ結果および硬判定値（ＦＥＣ符号化された硬判定信号）を次ステージへ出力するようにした上で、前ステージからのＣＲＣ結果がＯＫ（誤りなし）の場合は、誤りのない前ステージの硬判定値を用いてレプリカを生成するため、確実に精度の高いレプリカを生成することができる。しかも、この場合、自ステージにおいてＦＥＣ復号、硬判定、およびＦＥＣ符号化の一連の処理が不要になるため、演算量を削減することができる。
【０１７５】
また、前ステージからのＣＲＣ結果がＮＧ（誤りあり）であり、かつ、自ステージにおけるＣＲＣ結果がＯＫである場合は、誤りのない自ステージの硬判定値を用いてレプリカを生成するため、確実に精度の高いレプリカを生成することができる。
【０１７６】
また、前ステージからのＣＲＣ結果がＮＧであり、かつ、自ステージにおけるＣＲＣ結果もＮＧである場合は、誤った信号を使用せず、自ステージにおけるＦＥＣ復号前の信号を軟判定して得られた信号を用いてレプリカを生成するため、誤った信号を用いて誤ったレプリカを生成することがなくなり、レプリカの精度を向上することができる。
【０１７７】
したがって、このような処理により適正なレプリカを生成することができ、ユーザ間の干渉を小さくすることができる。
【０１７８】
なお、上記各実施の形態では、各ステージ（最終ステージを除く）において、送信データ判定部でＦＥＣ符号化を行う場合について説明したが、これに限定されるわけではない。ＦＥＣ符号化を行わない場合においても、レプリカを生成する際に、誤り検出の結果に応じて、重み付け係数を使用し、または、ＦＥＣ復号前の硬判定信号もしくは軟判定信号を使用することは可能である。
【０１７９】
また、上記各実施の形態に係る干渉キャンセラ装置を基地局装置に設ければ、受信信号に対して効果的な干渉除去を行うことが可能となり、基地局装置の性能を向上することができ、ユーザに快適な、たとえば、音声品質が良いなどの効果を提供することができる。
【０１８０】
また、同様に、上記各実施の形態に係る干渉キャンセラ装置を移動局装置に設ければ、受信信号に対して効果的な干渉除去を行うことが可能となり、移動局装置の性能を向上することができ、ユーザに快適な、たとえば、音声品質が良いなどの効果を提供することができる。
【０１８１】
【発明の効果】
以上説明したように、本発明によれば、適正なレプリカを生成してユーザ間の干渉を小さくすることができる。
【図面の簡単な説明】
【図１】本発明の実施の形態１に係る干渉キャンセラ装置の構成を示すブロック図
【図２】実施の形態１に係る干渉キャンセラ装置における第１および第２ステージのＩＣＵ部の構成を示すブロック図
【図３】実施の形態１に係る干渉キャンセラ装置における第３ステージのＩＣＵ部の構成を示すブロック図
【図４】本発明の実施の形態２に係る干渉キャンセラ装置の構成を示すブロック図
【図５】実施の形態２に係る干渉キャンセラ装置における第１ステージのＩＣＵ部の構成を示すブロック図
【図６】実施の形態２に係る干渉キャンセラ装置における第２および第３ステージのＩＣＵ部の構成を示すブロック図
【図７】実施の形態２に係る干渉キャンセラ装置における第４ステージのＩＣＵ部の構成を示すブロック図
【図８】本発明の実施の形態３に係る干渉キャンセラ装置における第１ステージのＩＣＵ部の構成を示すブロック図
【図９】実施の形態３に係る干渉キャンセラ装置における第２ステージ以降のステージ（最終ステージを除く）のＩＣＵ部の構成を示すブロック図
【符号の説明】
１０１，３０１  第１ステージ
１０２，３０２  第２ステージ
１０３，３０３  第３ステージ
３０４  第４ステージ
１１１〜１１３，１２１〜１２３，１３１〜１３３，３１１〜３１３，３２１〜３２３，３３１〜３３３，３４１〜３４３  ＩＣＵ部
２０１，４０１  ＲＡＫＥ受信部
２０２，２０２ａ，４０２，４０２ａ  送信データ判定部
２０３，４０３  レプリカ生成部
２０８，４０８  ＦＥＣ復号部
２０９，４０９  硬判定部
２１０，４１０  ＦＥＣ符号化部
２１１，４２１，４２１ａ  誤り検出部
２１２  重み係数決定部
４１１  ＦＥＣ復号前硬判定部
４２２，４２２ａ，４２２ｂ  スイッチ制御部
４２３，４２３ａ，４２３ｂ  スイッチ部
５１１  ＦＥＣ復号前軟判定部
【図１】
0003648172.tif 000002
【図２】
0003648172.tif 000003
【図３】
0003648172.tif 000004
【図４】
0003648172.tif 000005
【図５】
0003648172.tif 000006
【図６】
0003648172.tif 000007
【図７】
0003648172.tif 000008
【図８】
0003648172.tif 000009
【図９】
0003648172.tif 000010